(57)【要約】      （修正有）【課題】アルミニウム基板を容易に交換することができる発光ダイオード照明器具を提供する。【解決手段】筒体と、該筒体の外周面に設けられる複数のフィンと、該複数のフィンとベース１７を構成する複数の湾曲部１６とを有する放熱台座１０と、前記放熱台座１０のベースの下面に連結される少なくとも１つの熱伝達接着部材２０と、熱伝達接着部材２０と対応し、下面に複数の発光ダイオードが設けられる少なくとも１つのアルミニウム基板３０とにより構成する。さらに、前記アルミニウム基板３０の下面に設けられる複数の反射フード６０と、前記反射フード６０の下部に設けられるレンズとを有し、前記放熱台座１０、熱伝達接着部材２０及びアルミニウム基板３０に夫々固定穴３３が穿設され、前記レンズの上面に前記固定穴３３と対応する係止部７１を形成する。【選択図】図２
0003168198.tif 000002
【実用新案登録請求の範囲】
【請求項１】
主に底板と筒壁とからなる筒体と、該筒体の筒壁の外周面に設けられる複数のフィンと、該複数のフィンの底部をそれぞれ折り曲げてなる複数の湾曲部とを有し、該フィンの湾曲部と筒体の底板とにより、ベースを構成する放熱台座と、
前記放熱台座のベースの下面に夫々連結される少なくとも１つの熱伝達接着部材と、
形状及び大きさがそれぞれ前記熱伝達接着部材と対応し、下面に複数の発光ダイオードが設けられる少なくとも１つのアルミニウム基板と、
前記アルミニウム基板の下面における、複数の発光ダイオードと対応する箇所に夫々設けられると共に、椀状を呈する複数の反射フードと、
前記反射フードの下部に設けられるレンズとを有し、
前記放熱台座、熱伝達接着部材及びアルミニウム基板に夫々、それらの位置と大きさが対応し合う固定穴が穿設され、前記レンズの上面における、前記固定穴と対応する箇所に、突起状を呈する係止部が形成され、該係止部が、前記アルミニウム基板の下面に接触し、下部に形成される開口と、前記放熱台座、熱伝達接着部材及びアルミニウム基板に夫々穿設される３つの固定穴に対応する固定穴と、前記レンズと放熱台座とを結合させるために、該固定穴及び放熱台座、熱伝達接着部材及びアルミニウム基板に夫々穿設される３つの固定穴に螺入される締付ネジとを有することを特徴とする発光ダイオード照明器具。
【請求項２】
前記放熱台座はさらに、アダプタと、頭部とを有し、
前記アダプタの下端は、前記放熱台座の筒体の筒壁の上端に設置されると共に、該放熱台座の筒体の筒壁の上端と対応する形状及び大きさを有し、
前記頭部の下端は、前記アダプタの上端に設置されると共に、該アダプタの上端と対応する形状及び大きさを有することを特徴とする請求項１に記載の発光ダイオード照明器具。
【請求項３】
前記レンズの係止部の下部に形成される開口の内側に、ネジ脱落防止プレートが設けられることを特徴とする請求項２に記載の発光ダイオード照明器具。
【請求項４】
前記各反射フードの上部中央に、前記発光ダイオードと対応する大きさ及び深さを有し、該発光ダイオードを収容するための凹入部が形成され、
前記各反射フードの下部は前記各反射フードの上部より大径であることを特徴とする請求項２に記載の発光ダイオード照明器具。
【請求項５】
前記複数の反射フードの下部周縁が互いに連結されることを特徴とする請求項４に記載の発光ダイオード照明器具。
【請求項６】
前記各フィンにそれぞれ１つ以上の貫通穴が形成されることを特徴とする請求項３に記載の発光ダイオード照明器具。
【請求項７】
前記レンズの下面に、プレート状を呈し、該レンズの下面の大きさ及び形状と対応する屈折プレートが設けられることを特徴とする請求項１乃至請求項６のいずれか一項に記載の発光ダイオード照明器具。
【請求項８】
前記レンズの上面の周縁に、ネジ穴を有する１つ以上の固定柱が設けられ、
前記屈折プレートにおける、該固定柱と対応する箇所に、該固定柱の数量と同数の貫通穴が形成され、
さらに、前記屈折プレートを前記レンズの下面に固定させための、下方から上方に向かって、該屈折プレートの貫通穴を通過し前記固定柱に螺入されるネジを有することを特徴とする請求項７に記載の発光ダイオード照明器具。
【考案の詳細な説明】
【技術分野】
【０００１】
本考案は、特に容易にアルミニウム基板を交換することができる発光ダイオード照明器具に関するものである。
【背景技術】
【０００２】
従来の発光ダイオード照明器具は、側壁に複数のフィンが設けられる放熱台座と、該放熱台座に固定されるフードと、該フードの内部における前記放熱台座に固定され、複数の発光ダイオードが設けられる発光ダイオードモジュールと、下端が前記放熱台座の上端に固定されるアダプタと、下端が前記アダプターの上端に固定される頭部とを有し、該頭部をソケットに設置して電源に接続させると、該発光ダイオードモジュールの発光ダイオードに電源から電気が供給され、光線がフードを透過するように点灯し、発光する発光ダイオードから発生する熱量が該放熱台座から放熱される。
【考案の概要】
【考案が解決しようとする課題】
【０００３】
しかしながら、従来の発光ダイオード照明器具のフードでは、貼り付け手段により放熱台座に固定されるものであるので、発光ダイオードモジュールの発光ダイオードが故障した場合、フードを取り外して、故障した発光ダイオードを交換することができない。故に、このような構成では、一部の部材が故障した場合、該故障した一部の部材を交換することができなく、発光ダイオード照明器具ごと廃棄し、新たに発光ダイオード照明器具を購入しなくてはならないので、資源の浪費となるだけでなく、不経済であった。
【０００４】
そこで、案出されたのが本考案であって、内部に配置される部材の交換が容易な発光ダイオード照明器具を提供することを目的としている。
【課題を解決するための手段】
【０００５】
本願の請求項１の考案は、主に底板と筒壁とからなる筒体と、該筒体の筒壁の外周面に設けられる複数のフィンと、該複数のフィンの底部をそれぞれ折り曲げてなる複数の湾曲部とを有し、該フィンの湾曲部と筒体の底板とにより、ベースを構成する放熱台座と、
前記放熱台座のベースの下面に夫々連結される少なくとも１つの熱伝達接着部材と、
形状及び大きさがそれぞれ前記熱伝達接着部材と対応し、下面に複数の発光ダイオードが設けられる有する少なくとも１つのアルミニウム基板と、
前記アルミニウム基板の下面における、複数の発光ダイオードと対応する箇所に夫々設けられると共に、椀状を呈する複数の反射フードと、
前記反射フードの下部に設けられるレンズとを有し、
前記放熱台座、熱伝達接着部材及びアルミニウム基板に夫々、それらの位置と大きさが対応し合う固定穴が穿設され、
前記レンズの上面における、前記固定穴と対応する箇所に、突起状を呈する係止部が形成され、該係止部が、前記アルミニウム基板の下面に接触し、下部に形成される開口と、前記放熱台座、熱伝達接着部材及びアルミニウム基板に夫々穿設される３つの固定穴に対応する固定穴と、前記レンズと放熱台座とを結合させるために、該固定穴及び放熱台座、熱伝達接着部材及びアルミニウム基板に夫々穿設される３つの固定穴に螺入される締付ネジとを有することを特徴とする発光ダイオード照明器具を提供する。
【０００６】
本願の請求項２の考案は、前記放熱台座はさらに、アダプタと、頭部とを有し、
前記アダプタの下端は、前記放熱台座の筒体の筒壁の上端に設置されると共に、該放熱台座の筒体の筒壁の上端と対応する形状及び大きさを有し、
前記頭部の下端は、前記アダプタの上端に設置されると共に、該アダプタの上端と対応する形状及び大きさを有することを特徴とする請求項１に記載の発光ダイオード照明器具を提供する。
【０００７】
本願の請求項３の考案は、前記レンズの係止部の下部に形成される開口の内側に、ネジ脱落防止プレートが設けられることを特徴とする請求項２に記載の発光ダイオード照明器具を提供する。
【０００８】
本願の請求項４の考案は、前記各反射フードの上部中央に、前記発光ダイオードと対応する大きさ及び深さを有し、該発光ダイオードを収容するための凹入部が形成され、
前記各反射フードの下部は前記各反射フードの上部より大径であることを特徴とする請求項２に記載の発光ダイオード照明器具を提供する。
【０００９】
本願の請求項５の考案は、前記複数の反射フードの下部周縁が互いに連結されることを特徴とする請求項４に記載の発光ダイオード照明器具を提供する。
【００１０】
本願の請求項６の考案は、前記各フィンにそれぞれ１つ以上の貫通穴が形成されることを特徴とする請求項３に記載の発光ダイオード照明器具を提供する。
【００１１】
本願の請求項７の考案は、前記レンズの下面に、プレート状を呈し、該レンズの下面の大きさ及び形状と対応する屈折プレートが設けられることを特徴とする請求項１乃至請求項６のいずれか一項に記載の発光ダイオード照明器具を提供する。
【００１２】
本願の請求項８の考案は、前記レンズの上面の周縁に、ネジ穴を有する１つ以上の固定柱が設けられ、
前記屈折プレートにおける、該固定柱と対応する箇所に、該固定柱の数量と同数の貫通穴が形成され、
さらに、前記屈折プレートを前記レンズの下面に固定させるための、下方から上方に向かって、該屈折プレートの貫通穴を通過し前記固定柱に螺入されるネジを有することを特徴とする請求項７に記載の発光ダイオード照明器具を提供する。
【考案の効果】
【００１３】
本考案は上記の課題を解決するものであり、締付ネジを取り外せば、容易にレンズを放熱台座から取り外せることから、該レンズの内側に配置される部材を簡単に交換することができる。例えば、アルミニウム基板に設けられる発光ダイオードが故障した場合には、照明器具ごと廃棄しなくても、単にレンズを取外し、該故障した発光ダイオードが設置されるアルミニウム基板を交換すれば、本考案に係る発光ダイオード照明器具を速やかに修復することができる。
【図面の簡単な説明】
【００１４】
【図１】本考案に係る発光ダイオード照明器具の斜視図である。
【図２】本考案に係る発光ダイオード照明器具の分解斜視図である。
【図３】本考案に係る発光ダイオード照明器具の部分側面断面図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１及び図２に示すように、本考案に係る発光ダイオード照明器具は、放熱台座１０と、少なくとも１つの熱伝達接着部材２０と、少なくとも１つのアルミニウム基板３０と、複数の反射フード６０と、レンズ７０とを有する。
【００１７】
図１乃至図３に示すように、放熱台座１０は、主に底板１４と筒壁１５とからなる筒体と、該筒体の筒壁１５の外周面に設けられる複数のフィン１１と、前記複数のフィン１１の底部を夫々同側へ直角に折り曲げてなる複数の湾曲部１６とを有し、該フィン１１の湾曲部１６と筒体の底板１４とによりベース１７が構成される。該ベース１７は下面を有する。
【００１８】
前記各フィン１１に１つ以上の貫通穴１２が形成されると共に、前記放熱台座１０の底板１４に１つの固定穴１３が形成される。尚、本実施例においては、前記放熱台座１０の底板１４に形成される固定穴１３がネジ穴である。
【００１９】
前記各熱伝達接着部材２０は、前記放熱台座１０のベースの下面に連結される上面と、下面とを有すると共に、大きさ及び位置が前記放熱台座１０の底板１４に形成される固定穴１３と対応する１つの固定穴２３が形成される。尚、本実施例においては、１つの熱伝達接着部材２０しか用いていない。
【００２０】
前記各アルミニウム基板３０は、形状及び大きさがそれぞれ前記熱伝達接着部材２０と対応する上面と、下面と、該下面に設けられる複数の発光ダイオード３１と、固定穴３３とを有し、該固定穴３３は、前記放熱台座１０の底板１４に形成される固定穴１３及び該熱伝達接着部材２０に形成される固定穴２３と対応する箇所に形成されると共に、該放熱台座１０の底板１４に形成される固定穴１３及び熱伝達接着部材２０に形成される固定穴２３と対応する大きさを有する。
【００２１】
前記複数の反射フード６０は、前記アルミニウム基板３０の下面における複数の発光ダイオード３１と対応する箇所にそれぞれ設けられ、椀状を呈すると共に、上部と、周縁を有する下部とを有し、その上部中央に、該発光ダイオード３１を収容するための、大きさ及び深さが該発光ダイオード３１と対応する凹入部が形成され、また、各反射フード６０の下部は上部より大径であり、該下部の周縁が互いに連結される。
【００２２】
前記レンズ７０は、前記反射フード６０の下部に設けられ、周縁を有する上面と、下面と、該上面の周縁から上方に向かって延出し、前記放熱台座１０のフィン１１に係止される側壁７８と、該上面における固定穴１３、２３、３３と対応する箇所に形成される係止部７１とを有する。
【００２３】
前記係止部７１は、突起状を呈し、下部と、該下部に設けられる開口７６と、前記アルミニウム基板３０の下面に接触する上面と、夫々前記放熱台座１０、熱伝達接着部材２０及びアルミニウム基板３０に穿設される３つの固定穴１３、２３、３３と対応する固定穴７３と、前記レンズ７０と放熱台座１０とを結合させるために、該固定穴７３及び放熱台座１０、熱伝達接着部材２０及びアルミニウム基板３０にそれぞれ穿設される３つの固定穴１３、２３、３３に螺入される締付ネジ７４と、該下部に設けられる開口７６の内側に設けられるネジ脱落防止プレート７７とを有する。
【００２４】
本実施例において、前記放熱台座１０はさらに、アダプタ４０と、頭部５０とを有し、その内、該アダプタ４０は、上端と、下端とを有すると共に、該下端は、該放熱台座１０の筒体の筒壁１５の上端に設置され、前記放熱台座１０の筒体の筒壁１５の上端と対応する形状及び大きさを有する。一方、前記頭部５０は、下端を有し、該下端は、前記アダプタ４０の上端に設置され、前記アダプタ４０の上端に対応する形状及び大きさを有する。
【００２５】
更に、前記レンズ７０の上面の周縁に、ネジ穴を有する１つ以上の固定柱７５が設けられると共に、該レンズ７０の下面に、プレート状を呈し、該レンズ７０の下面と対応する大きさ及び形状を有する屈折プレート８０が設けられる。なお、本実施例においては、前記レンズ７０の上面の周縁に４つの固定柱７５が設けられ、前記屈折プレート８０はアクリルからなるものである。
【００２６】
前記屈折プレート８０における固定柱７５と対応する箇所に、該固定柱７５と同数の貫通穴８１が形成される。なお、本実施例においてはさらにネジ８２を有し、該ネジ８２は、前記屈折プレート８０をレンズ７０の下面に固定させるための、下方から上方に向かって、該屈折プレート８０の貫通穴８１を通過し前記固定柱７５に螺入されるものである。また、本考案に係る発光ダイオード照明器具は、多様な色の屈折プレート８０を用いることにより、異なる色の光線を放射させることができる。
【００２７】
本考案に係る発光ダイオード照明器具を組み立てる場合は、先ずアルミニウム基板３０の上面と熱伝達接着部材２０の下面とを接着させてから、該熱伝達接着部材２０に接着されたアルミニウム基板３０と放熱台座１０とを接着させる。即ち、前記熱伝達接着部材２０の上面と放熱台座１０のベース１７の下面とを接着させる。そして、反射フード６０をアルミニウム基板３０の下面における発光ダイオード３１と対応する箇所に設置し、さらに、レンズ７０を放熱台座１０に合わせ、下方から上方に向かって、締付ネジ７４を順次に固定穴７３、３３、２３、１３へ挿入して螺合し、レンズ７０を放熱台座１０に結合させる。
【００２８】
その後、ネジ脱落防止プレート７７を係止部７１の下部に取り付け、屈折プレート８０をレンズ７０の下面に位置させてから、ネジ８２を下方から上方へ貫通穴８１へ挿入して固定柱７５に螺入させることにより、屈折プレート８０とレンズ７０とを固定すれば、全ての組み立て作業が完了する。
【産業上の利用可能性】
【００２９】
本考案は上記の構成を有し、レンズと放熱台座とが締付ネジにより固定されるものであることから、修理時には、単にレンズと放熱台座とを分離させれば、レンズの内部に配置される部材を容易に交換することができる。即ち、例えばアルミニウム基板に設けられる発光ダイオードが故障した場合には、照明器具ごと廃棄せずに、レンズを取り外し、アルミニウム基板のみを交換すれば、本考案に係る発光ダイオード照明器具の機能を回復させることができるので、実用性に優れると共に、非常に経済的である。
【符号の説明】
【００３０】
１０        放熱台座
１１        フィン
１２        貫通穴
１３        固定穴
１４        底板
１５        筒壁
１６        湾曲部
１７        ベース
２０        熱伝達接着部材
２３        固定穴
３０        アルミニウム基板
３１        発光ダイオード
３３        固定穴
４０        アダプタ
５０        頭部
６０        反射フード
７０        レンズ
７１        係止部
７３        固定穴
７４        締付ネジ
７５        固定柱
７６        開口
７７        ネジ脱落防止プレート
７８        側壁
８０        屈折プレート
８１        貫通穴
８２        ネジ
【図１】
0003168198.tif 000003
【図２】
0003168198.tif 000004
【図３】
0003168198.tif 000005